(57)【要約】【課題】力率制御回路用の電源を別に設けることなく回路を簡略化でき、小型化と低コスト化が図れるモータ駆動装置を提供する。【解決手段】交流電源１からの交流電圧を直流電圧に変換する整流回路（ダイオードブリッジＤＢ２，平滑用コンデンサＣ１）と、その整流回路からの直流電圧を交流電圧に変換するインバータ回路４とを備える。上記交流電源１とインダクタンス素子Ｌを介してオン時に閉回路を形成するスイッチ回路（ダイオードブリッジＤＢ１，トランジスタＴｒ）と、スイッチ回路を駆動する駆動回路２と、駆動回路２用の電源としてのコンデンサＣ４とを有する力率制御回路を備える。上記インバータ回路４の駆動回路３用の直流電源Ｅ１からの直流電圧により力率制御回路のコンデンサＣ４をダイオードＤ１を介して充電する。【選択図】  図１
2004153889.tif 000002
【特許請求の範囲】
【請求項１】
交流電源（１）からの交流電圧を直流電圧に変換する整流回路（ＤＢ２，Ｃ１）と、
上記整流回路（ＤＢ２，Ｃ１）からの直流電圧を交流電圧に変換するインバータ回路（４）と、
上記インバータ回路（４）を駆動するための駆動回路用の直流電源（Ｅ１）と、
上記交流電源（１）と上記整流回路（ＤＢ２，Ｃ１）を接続する交流電圧ラインの一方に直列に接続されたインダクタンス素子（Ｌ）と、
上記交流電源と上記インダクタンス素子（Ｌ）を介してオン時に閉回路を形成するスイッチ回路（ＤＢ１，Ｔｒ）と、上記スイッチ回路（ＤＢ１，Ｔｒ）を駆動する駆動回路（２）と、上記駆動回路用の電源としてのコンデンサとを有する力率制御回路と、
上記駆動回路用の直流電源（Ｅ１）の出力端子と上記力率制御回路のコンデンサの一端との間に接続され、上記駆動回路用の直流電源（Ｅ１）からの直流電圧により上記力率制御回路のコンデンサ（Ｃ４）を充電するためのダイオード（Ｄ１）とを備えたことを特徴とするモータ駆動装置。
【請求項２】
請求項１に記載のモータ駆動装置において、
上記整流回路は倍電圧整流回路であることを特徴とするモータ駆動装置。
【請求項３】
請求項１に記載のモータ駆動装置において、
上記整流回路は、ダイオードブリッジ（ＤＢ２）と、上記ダイオードブリッジ（ＤＢ２）の直流出力端子に接続された倍電圧用コンデンサ（Ｃ２，Ｃ３）とを有し、
上記スイッチ回路（ＤＢ１，Ｔｒ）は、上記整流回路の上記倍電圧用コンデンサ（Ｃ２，Ｃ３）の接続点と上記インダクタンス素子（Ｌ）の上記整流回路側との間を短絡することを特徴とするモータ駆動装置。
【発明の詳細な説明】
【０００１】
【発明の属する技術分野】
この発明は、空気調和機の圧縮機等のモータを駆動するモータ駆動装置に関する。
【０００２】
【従来の技術】
従来、モータ駆動装置としては、図８に示すものがある（例えば、特許文献１参照）。このモータ駆動装置は、図８に示すように、交流電源１からの交流電圧を全波整流するダイオードブリッジＤＢ２と、上記ダイオードブリッジＤＢ２の直流出力端子間に接続された平滑用コンデンサＣ１と、上記ダイオードブリッジＤＢ２からの直流電圧を３相交流電圧に変換するインバータ回路４と、上記交流電源１の一端とダイオードブリッジＤＢ２の正極側端子との間に直列に接続されたインダクタンス素子Ｌと、上記ダイオードブリッジＤＢ２の正極側端子と負極側端子との間に接続されたダイオードブリッジＤＢ１と、上記ダイオードブリッジＤＢ１の正極側直流出力端子にコレクタが接続されたＮＰＮ型のトランジスタＴｒと、上記トランジスタＴｒを駆動する駆動回路２と、上記駆動回路２用の直流電源Ｅ２と、上記ダイオードブリッジＤＢ２の出力端子間に接続された平滑用コンデンサＣ１と、上記インバータ回路４を駆動する駆動回路３と、上記駆動回路３用の直流電源Ｅ１とを備えている。上記ダイオードブリッジＤＢ１，トランジスタＴｒ，駆動回路２および直流電源Ｅ２で力率制御回路を構成している。
【０００３】
また、他のモータ駆動装置としては、図９に示すものがある。このモータ駆動装置は、ダイオードブリッジＤＢ２の直流出力端子間に直列に接続された２つの倍電圧用コンデンサＣ２，Ｃ３を備え、ダイオードブリッジＤＢ１の交流入力端子の他方が倍電圧用コンデンサＣ２，Ｃ３の中性点に接続されている。この倍電圧用コンデンサＣ２，Ｃ３とその中性点の接続を除いて、図９に示すモータ駆動装置は、図８に示すモータ駆動装置と同一の構成をしている。
【０００４】
上記図８，図９に示すモータ駆動装置は、駆動回路２によりトランジスタＴｒを交流電圧の周期に合わせて半サイクル毎に短期間オンすることにより力率を改善する。
【０００５】
【特許文献１】
特開平１０−２０１２４８号公報
【０００６】
【発明が解決しようとする課題】
ところが、上記図８，図９に示すモータ駆動装置では、インバータ回路４を駆動する駆動回路３用の直流電源Ｅ１とは別に、力率制御回路のトランジスタＴｒを駆動する駆動回路２用の直流電源Ｅ２を設ける必要があるため、回路が複雑で小型化が困難になり、コストが高くなるという問題がある。
【０００７】
そこで、この発明の目的は、力率制御回路用の電源を別に設ける必要がなく、回路を簡略化でき、小型化と低コスト化が図れるモータ駆動装置を提供することにある。
【０００８】
【課題を解決するための手段】
上記目的を達成するため、請求項１のモータ駆動装置は、交流電源からの交流電圧を直流電圧に変換する整流回路と、上記整流回路からの直流電圧を交流電圧に変換するインバータ回路と、上記インバータ回路を駆動するための駆動回路用の直流電源と、上記交流電源と上記整流回路を接続する交流電圧ラインの一方に直列に接続されたインダクタンス素子と、上記交流電源と上記インダクタンス素子を介してオン時に閉回路を形成するスイッチ回路と、上記スイッチ回路を駆動する駆動回路と、上記駆動回路用の電源としてのコンデンサとを有する力率制御回路と、上記駆動回路用の直流電源の出力端子と上記力率制御回路のコンデンサの一端との間に接続され、上記駆動回路用の直流電源からの直流電圧により上記力率制御回路のコンデンサを充電するためのダイオードとを備えたことを特徴としている。
【０００９】
上記請求項１のモータ駆動装置によれば、交流電源からの交流電圧を整流回路により直流電圧に変換し、変換された直流電圧をインバータ回路により交流電圧に変換して、インバータ回路からの交流電圧により例えば空気調和機の圧縮機モータを駆動する。このとき、上記力率制御回路のスイッチ回路をオン（通常は半サイクル毎に短期間）させて、オン時に交流電源とインダクタンス素子を介して閉回路を形成することによって、例えば、上記スイッチ回路によりインダクタンス素子を介して交流電源からの交流電圧ラインを短絡することによって、力率を制御する。そして、上記駆動回路用の直流電源の出力端子と上記力率制御回路のコンデンサの一端との間に接続されたダイオードを介して、上記駆動回路用の直流電源からの直流電圧により上記力率制御回路のコンデンサを充電する。こうして、上記力率制御回路のスイッチ回路のオンオフを繰り返しつつ、インバータ回路の駆動回路用の直流電源から力率制御回路の駆動回路に電力が供給される。したがって、力率制御回路用の電源を別に設ける必要がなく、回路を簡略化でき、モータ駆動装置の小型化と低コスト化が図れる。なお、上記力率制御回路は、インバータ回路に比べてスイッチング回数が極端に少ないので、力率制御回路の駆動回路の消費電力は、インバータ回路の駆動回路に比べてはるかに少なく、別に電源を設けることなく、コンデンサに充電することで電源としての役割を果たすことができる。
【００１０】
また、請求項２のモータ駆動装置は、請求項１のモータ駆動装置において、上記整流回路は倍電圧整流回路であることを特徴としている。
【００１１】
上記請求項２のモータ駆動装置によれば、上記整流回路が倍電圧整流回路の構成であっても、本発明を適用することによって、力率制御回路用の電源を別に設ける必要がなく、回路を簡略化でき、モータ駆動装置の小型化と低コスト化が図れる。
【００１２】
また、請求項３のモータ駆動装置は、請求項１のモータ駆動装置において、上記整流回路は、ダイオードブリッジと、上記ダイオードブリッジの直流出力端子に接続された倍電圧用コンデンサとを有し、上記スイッチ回路は、上記整流回路の上記倍電圧用コンデンサの接続点と上記インダクタンス素子の上記整流回路側との間を短絡することを特徴としている。
【００１３】
上記請求項３のモータ駆動装置によれば、上記スイッチ回路をオン（通常は半サイクル毎に短期間）させて、上記整流回路の出力端子に接続された倍電圧用コンデンサの接続点と上記インダクタンス素子の他端との間を短絡して、交流電源とインダクタンス素子を介して閉回路を形成することによって、倍電圧整流と力率制御が行われる。このような回路構成においても、力率制御回路用の電源を別に設けることなく、インバータ回路の駆動回路用の直流電源からダイオードを介して充電されるコンデンサが力率制御回路の駆動回路用の電源としての役割を果たすので、回路を簡略化でき、小型化と低コスト化ができる。
【００１４】
【発明の実施の形態】
以下、この発明のモータ駆動装置を図示の実施の形態により詳細に説明する。
【００１５】
（第１実施形態）
図１はこの発明の第１実施形態の空気調和機の圧縮機モータを駆動するモータ駆動装置の回路図である。図１に示すように、交流電源１の一方の出力端子にインダクタンス素子Ｌの一端を接続し、そのインダクタンス素子Ｌの他端にダイオードブリッジＤＢ１の交流入力端子の一方を接続し、ダイオードブリッジＤＢ１の交流入力端子の他方に交流電源１の他方の出力端子を接続している。上記ダイオードブリッジＤＢ１の正極側直流出力端子にＮＰＮ型のトランジスタＴｒのコレクタを接続し、ダイオードブリッジＤＢ１の負極側直流出力端子にトランジスタＴｒのエミッタを接続している。上記トランジスタＴｒのベースに駆動回路２の出力端子を接続し、トランジスタＴｒのエミッタに駆動回路２のグランド端子を接続している。そして、上記駆動回路２の電源端子とグランド端子との間に駆動回路用電源としてのコンデンサＣ４を接続している。上記ダイオードブリッジＤＢ１とトランジスタＴｒでスイッチ回路を構成し、そのスイッチ回路と駆動回路２およびコンデンサＣ４で力率制御回路を構成している。
【００１６】
また、上記インダクタンス素子Ｌの他端にダイオードブリッジＤＢ２の交流入力端子の一方を接続し、ダイオードブリッジＤＢ２の交流入力端子の他方に交流電源１の他方の出力端子を接続している。上記ダイオードブリッジＤＢ２の正極側直流出力端子と負極側直流出力端子との間に平滑用コンデンサＣ１を接続している。上記ダイオードブリッジＤＢ２と平滑用コンデンサＣ１で整流回路の一例を構成している。
【００１７】
また、上記ダイオードブリッジＤＢ２の正極側直流出力端子をインバータ回路４の正極側入力端子に接続し、ダイオードブリッジＤＢ２の負極側直流出力端子をインバータ回路４の負極側入力端子に接続している。上記インバータ回路４の制御入力端子に駆動回路３の出力端子を接続し、駆動回路３の電源端子とグランド端子との間に駆動回路３用の直流電源Ｅ１を接続している。そして、上記駆動回路３用の直流電源Ｅ１の正極側直流出力端子にダイオードＤ１のアノードを接続し、ダイオードＤ１のカソードを力率制御回路のコンデンサＣ４の正極側端子に接続している。上記ダイオードブリッジＤＢ２の負極側直流出力端子を接地している。
【００１８】
上記構成のモータ駆動装置は、インバータ回路４からの３相電圧出力により圧縮機モータ５を駆動すると共に、力率制御回路のトランジスタＴｒを半サイクル毎に短期間オンさせて、インダクタンス素子Ｌを介して交流電源１からの交流電圧ラインをトランジスタＴｒにより短絡することにより力率を制御する。このとき、上記駆動回路３用の直流電源Ｅ１の出力端子と力率制御回路のコンデンサＣ４の一端との間に接続されたダイオードＤ１を介して、上記駆動回路３用の直流電源Ｅ１からの直流電圧により力率制御回路のコンデンサＣ４を充電する。
【００１９】
図２，図３は上記モータ駆動装置の力率制御回路の駆動回路２用のコンデンサＣ４への充電を説明するための回路図であり、図２は交流電源１のインダクタンス素子Ｌの一端が接続されている出力端子側の電圧の極性が正のときであり、図３は交流電源１のインダクタンス素子Ｌの一端が接続されている出力端子側の電圧の極性が負のときである。
【００２０】
まず、交流電源１のインダクタンス素子Ｌの一端が接続されている出力端子側の電圧の極性が正のとき、図２に示すように、トランジスタＴｒがオン状態からオフ状態になると、直流電源Ｅ１、ダイオードＤ１、コンデンサＣ４、ダイオードブリッジＤＢ１、交流電源１、インダクタンス素子Ｌ、ダイオードブリッジＤＢ２およびインバータ回路４の経路で電流が流れて、コンデンサＣ４を充電する。
【００２１】
一方、交流電源１のインダクタンス素子Ｌの一端が接続されている出力端子側の電圧の極性が負のとき、図３に示すように、トランジスタＴｒがオン状態からオフ状態になると、直流電源Ｅ１、ダイオードＤ１、コンデンサＣ４、ダイオードブリッジＤＢ１、インダクタンス素子Ｌ、交流電源１、ダイオードブリッジＤＢ２およびインバータ回路４の経路で電流が流れて、コンデンサＣ４を充電する。
【００２２】
図４はこのときのモータ駆動装置の各部の波形を示しており、図４の上側が交流電源１の電圧波形Ａおよびインダクタンス素子Ｌを流れる電流波形Ｂを示し、図４の下側がダイオードＤ１を流れる充電電流の電流波形Ｃを示している。図４に示すように、交流電圧の半サイクル毎に、トランジスタＴｒを所定時間オンして力率制御の役割を果たすと共に、トランジスタＴｒがオン状態からオフ状態になると、その半サイクル中にコンデンサＣ４が所定時間充電される。
【００２３】
このように、上記力率制御回路のトランジスタＴｒを半サイクル毎に短期間オンさせて、インダクタンス素子Ｌを介して交流電源１からの交流電圧ラインをトランジスタＴｒにより短絡することによって力率を制御する一方、トランジスタＴｒがオフのときに上記駆動回路３用の直流電源Ｅ１からダイオードＤ１を介して力率制御回路のコンデンサＣ４を充電するので、力率制御回路用の電源を別に設ける必要がなく、回路を簡略化でき、モータ駆動装置の小型化と低コスト化を図ることができる。
【００２４】
（第２実施形態）
図５はこの発明の第２実施形態の空気調和機の圧縮機モータを駆動するモータ駆動装置の回路図である。図５に示すように、交流電源１の一方の出力端子にインダクタンス素子Ｌの一端を接続し、そのインダクタンス素子Ｌの他端にダイオードブリッジＤＢ１の交流入力端子の一方を接続している。上記ダイオードブリッジＤＢ１の正極側直流出力端子にＮＰＮ型のトランジスタＴｒのコレクタを接続し、ダイオードブリッジＤＢ１の負極側直流出力端子にトランジスタＴｒのエミッタを接続している。上記トランジスタＴｒのベースに駆動回路２の出力端子を接続し、トランジスタＴｒのエミッタに駆動回路２のグランド端子を接続している。そして、上記駆動回路２の電源端子とグランド端子との間に駆動回路用電源としてのコンデンサＣ４を接続している。上記ダイオードブリッジＤＢ１とトランジスタＴｒでスイッチ回路を構成し、そのスイッチ回路と駆動回路２およびコンデンサＣ４で力率制御回路を構成している。
【００２５】
また、上記インダクタンス素子Ｌの他端にダイオードブリッジＤＢ２の交流入力端子の一方を接続し、ダイオードブリッジＤＢ２の交流入力端子の他方に交流電源１の他方の出力端子を接続している。上記ダイオードブリッジＤＢ２の正極側直流出力端子と負極側直流出力端子との間に平滑用コンデンサＣ１を接続している。また、上記ダイオードブリッジＤＢ２の正極側直流出力端子をインバータ回路４の正極側入力端子に接続し、ダイオードブリッジＤＢ２の負極側直流出力端子をインバータ回路４の負極側入力端子に接続している。そして、インバータ回路４の制御入力端子に駆動回路３の出力端子を接続し、駆動回路３の電源端子とグランド端子との間に駆動回路３用の直流電源Ｅ１を接続している。
【００２６】
また、上記ダイオードブリッジＤＢ２の正極側直流出力端子と負極側直流出力端子との間に倍電圧用コンデンサＣ２，Ｃ３を直列に接続している。上記倍電圧用コンデンサＣ２と倍電圧用コンデンサＣ３との間の接続点（中性点）にダイオードブリッジＤＢ１の負極側直流出力端子を接続している。上記ダイオードブリッジＤＢ２と平滑用コンデンサＣ１および倍電圧用コンデンサＣ２，Ｃ３で整流回路を構成している。そして、上記駆動回路３用の直流電源Ｅ１の正極側直流出力端子にダイオードＤ１のアノードを接続し、ダイオードＤ１のカソードを力率制御回路のコンデンサＣ４の正極側端子に接続している。上記ダイオードブリッジＤＢ２の負極側直流出力端子を接地している。なお、倍電圧用コンデンサＣ２，Ｃ３のどちらか一方だけでも倍電圧整流は行われ、その場合も以下と同様の作用，効果を奏する。
【００２７】
上記構成のモータ駆動装置は、インバータ回路４からの３相電圧出力により圧縮機モータ５を駆動すると共に、力率制御回路のトランジスタＴｒを半サイクル毎に短期間オンさせて、インダクタンス素子Ｌと倍電圧用コンデンサＣ２と倍電圧用コンデンサＣ３との間の接続点（中性点）をトランジスタＴｒにより短絡することによって、交流電源１とインダクタンス素子Ｌを介して閉回路を形成して力率を制御する。このとき、上記駆動回路用の直流電源１の出力端子と力率制御回路のコンデンサＣ４の一端との間に接続されたダイオードＤ１を介して、上記駆動回路３用の直流電源Ｅ１からの直流電圧により力率制御回路のコンデンサＣ４を充電する。
【００２８】
図６は上記モータ駆動装置の力率制御回路の駆動回路２用のコンデンサＣ４への充電を説明するための回路図であり、図６において、交流電源１のインダクタンス素子Ｌの一端が接続されている出力端子側の電圧の極性が負のときに充電が行われる。
【００２９】
まず、交流電源１のインダクタンス素子Ｌの一端が接続されている出力端子側の電圧の極性が正のときは、電流が流れる経路が形成されず、コンデンサＣ４を充電しない。
【００３０】
一方、交流電源１のインダクタンス素子Ｌの一端が接続されている出力端子側の電圧の極性が負のとき、図６に示すように、トランジスタＴｒがオン状態からオフ状態になると、直流電源Ｅ１、ダイオードＤ１、コンデンサＣ４、ダイオードブリッジＤＢ１、インダクタンス素子Ｌ、交流電源１、ダイオードブリッジＤＢ２およびインバータ回路４の経路で電流が流れて、コンデンサＣ４を充電する。
【００３１】
図７はこのときのモータ駆動装置の各部の波形を示しており、図７の上側が交流電源１の電圧波形Ａおよびインダクタンス素子Ｌを流れる電流波形Ｂを示し、図７の下側がダイオードＤ１を流れる充電電流の電流波形Ｃを示している。図７に示すように、交流電圧の半サイクル毎に、トランジスタＴｒを所定時間オンして力率制御の役割を果たすと共に、トランジスタＴｒがオン状態からオフ状態になると、その１サイクル中（図７の下側の半サイクル中）に１回だけコンデンサＣ４が所定時間充電される。
【００３２】
このように、上記力率制御回路のトランジスタＴｒを半サイクル毎に短期間オンさせて、交流電源１とインダクタンス素子Ｌを介して閉回路を形成することによって力率を制御する一方、トランジスタＴｒがオフのときに上記駆動回路３用の直流電源Ｅ１からダイオードＤ１を介して力率制御回路のコンデンサＣ４を充電するので、力率制御回路用の電源を別に設ける必要がなく、回路を簡略化でき、モータ駆動装置の小型化と低コスト化を図ることができる。
【００３３】
上記第１，第２実施形態では、空気調和機の圧縮機モータを駆動するモータ駆動装置について説明したが、空気調和機に限らず、冷蔵庫や汎用インバータ等にこの発明を適用してもよい。
【００３４】
また、上記第１，第２実施形態では、力率制御回路のトランジスタＴｒ，駆動回路２を低消費電力化することにより、駆動回路２用のコンデンサＣ４の容量を小さくすることができる。なお、上記第１実施形態では、入力される交流電圧の半サイクル毎に力率制御回路のコンデンサＣ４に充電が行われ、上記第２実施形態では、入力される交流電圧の１サイクル毎に力率制御回路のコンデンサＣ４に充電が行われるので、上記第１実施形態のモータ駆動装置の方がコンデンサ充電能力を大きくでき、力率制御回路の低消費電力化に余裕がある。
【００３５】
また、上記第２実施形態では、図５に示す回路構成の倍電圧整流回路を用いたモータ駆動装置について説明したが、第１実施形態のモータ駆動回路の構成において、ダイオードブリッジＤＢ２の出力間に直列に２つのコンデンサを接続し、そのコンデンサの接続点をダイオードブリッジＤＢ２の一方の交流入力端子に接続した回路構成の倍電圧整流回路としてもよい。この場合も、第１実施形態のモータ駆動回路と同様の作用，効果を有する。
【００３６】
また、上記第１実施形態では、交流電源からの交流電圧ラインをインダクタンス素子Ｌを介してスイッチ回路（ダイオードブリッジＤＢ１，トランジスタＴｒ）により短絡し、上記第２実施形態では、倍電圧用コンデンサＣ２，Ｃ３の接続点とインダクタンス素子Ｌの他端との間をスイッチ回路（ダイオードブリッジＤＢ１，トランジスタＴｒ）により短絡することにより、それぞれ力率制御を行ったが、力率制御回路はこれに限らず、交流電源とインダクタンス素子を介してオン時に閉回路を形成するスイッチ回路により力率制御を行うものであればよい。
【００３７】
【発明の効果】
以上より明らかなように、請求項１の発明のモータ駆動装置は、交流電源からの交流電圧を直流電圧に変換する整流回路と、上記整流回路からの直流電圧を交流電圧に変換するインバータ回路と、上記インバータ回路を駆動するための駆動回路用の直流電源と、上記交流電源と整流回路を接続する交流電圧ラインの一方に直列に接続されたインダクタンス素子と、上記交流電源とインダクタンス素子を介してオン時に閉回路を形成するスイッチ回路と、上記スイッチ回路を駆動する駆動回路と、上記駆動回路用の電源としてのコンデンサとを有する力率制御回路と、上記駆動回路用の直流電源の出力端子と力率制御回路のコンデンサの一端との間に接続され、上記駆動回路用の直流電源からの直流電圧により力率制御回路のコンデンサを充電するためのダイオードとを備えたものである。
【００３８】
したがって、請求項１の発明のモータ駆動装置によれば、上記駆動回路用の直流電源の出力端子と上記力率制御回路のコンデンサの一端との間に接続されたダイオードを介して、上記駆動回路用の直流電源からの直流電圧により上記力率制御回路のコンデンサが充電されるので、力率制御回路用の電源を別に設ける必要がなく、回路を簡略化でき、小型でかつ低コストなモータ駆動装置を実現することができる。
【００３９】
また、請求項２の発明のモータ駆動装置によれば、請求項１のモータ駆動装置において、上記整流回路が倍電圧整流回路の構成においても、力率制御回路用の電源を別に設けることなく、回路を簡略化でき、小型化と低コスト化ができる。
【００４０】
また、請求項３の発明のモータ駆動装置によれば、請求項１のモータ駆動装置において、上記スイッチ回路をオンさせて、上記整流回路のダイオードブリッジの直流出力端子に接続された倍電圧用コンデンサの接続点と上記インダクタンス素子の整流回路側との間を短絡して、交流電源とインダクタンス素子を介して閉回路を形成することによって、倍電圧整流と力率制御を行う回路構成においても、力率制御回路用の電源を別に設けることなく、回路を簡略化でき、小型化と低コスト化ができる。
【図面の簡単な説明】
【図１】図１はこの発明の第１実施形態のモータ駆動装置の回路図である。
【図２】図２は上記モータ駆動装置の力率制御回路の駆動回路用コンデンサへの充電を説明するための回路図である。
【図３】図３は上記モータ駆動装置の力率制御回路の駆動回路用コンデンサへの充電を説明するための回路図である。
【図４】図４は上記モータ駆動装置の各部の波形を示す図である。
【図５】図５はこの発明の第２実施形態のモータ駆動装置の回路図である。
【図６】図６は上記モータ駆動装置の力率制御回路の駆動回路用コンデンサへの充電を説明するための回路図である。
【図７】図７は上記モータ駆動装置の各部の波形を示す図である。
【図８】図８は従来のモータ駆動装置の回路図である。
【図９】図９は従来の他のモータ駆動装置の回路図である。
【符号の説明】
１…交流電源、
２…駆動回路、
３…駆動回路、
４…インバータ回路、
５…圧縮機モータ、
Ｌ…インダクタンス素子、
ＤＢ１，ＤＢ２…ダイオードブリッジ、
Ｔｒ…トランジスタ、
Ｅ１…直流電源、
Ｃ１…平滑用コンデンサ、
Ｃ２，Ｃ３…倍電圧用コンデンサ、
Ｃ４…駆動回路用のコンデンサ。
【図１】
2004153889.tif 000003
【図２】
2004153889.tif 000004
【図３】
2004153889.tif 000005
【図４】
2004153889.tif 000006
【図５】
2004153889.tif 000007
【図６】
2004153889.tif 000008
【図７】
2004153889.tif 000009
【図８】
2004153889.tif 000010
【図９】
2004153889.tif 000011